(57)【要約】【課題】複数のＡＶ機器などをリモコンで操作する場合には混信を防ぐためリモコンＩＤ設定の変更が必要となる場合がある。従来の機器では設定変更の際には、取扱説明書を参照する必要があり、かつ複雑な操作を実行する必要があった。また、設定操作に失敗すると、リモコンと機器のリモコンＩＤに不一致が生じ操作ができない事態も生じた。このような設定変更操作の利便性と信頼性とが低い点に課題が生じた。【解決手段】以上の課題解決のため、本発明はリモコンＩＤ設定変更を不揮発メモリにスタンバイする処理などを行う映像処理装置を提供する。【選択図】図２
2009201078.tif 000002
【特許請求の範囲】
【請求項１】
リモコン装置と、本体装置と、からなるリモコンシステムであって、
リモコン装置は、
リモコンＩＤを含むリモコン信号を出力するリモコン信号出力部と、
リモコンＩＤ変更部と、を有し、
本体装置は、
リモコン信号を受信するリモコン信号受信部と、
フィルタ用リモコンＩＤに基づいてリモコン信号をフィルタするフィルタ部と、
リモコン信号によりフィルタ用リモコンＩＤを変更するフィルタ変更部と、
フィルタ用リモコンＩＤ変更後にリモコン装置のリモコンＩＤ変更操作に関する説明表示を出力する説明表示出力部と、
を有するリモコンシステム。
【請求項２】
コピー用リモコンＩＤを不揮発に保持する不揮発メモリ部をさらに有し、
フィルタ部は、不揮発メモリ部に保持されているコピー用リモコンＩＤをコピーしてフィルタ用リモコンＩＤとして保持する揮発メモリ手段を有する請求項１に記載のリモコンシステム。
【請求項３】
不揮発メモリ部のコピー用リモコンＩＤをリモコン信号により変更する不揮発メモリ変更部と、
フィルタ変更部によるフィルタ用リモコンＩＤの変更に応じて時間を計測する本体側時計部と、
を有し、
フィルタ変更部は、本体側時計部での計測時間が所定の時間となった際に不揮発メモリ変更部による不揮発メモリの変更がされていない場合にはフィルタ変更部によって変更されていた揮発メモリ手段に保持されるフィルタ用リモコンＩＤをその変更前の値に戻す復帰手段を有する
請求項２に記載のリモコンシステム。
【請求項４】
不揮発メモリ変更部によるコピー用リモコンＩＤの変更後に、所定の処理が完了したことを利用者に知らせるための告知表示を出力する告知表示出力部をさらに有する請求項３に記載のリモコンシステム。
【請求項５】
リモコン装置のリモコンＩＤ変更部は、
不揮発メモリ変更部に対するコピー用リモコンＩＤ変更命令を含むリモコン信号送信用でありかつリモコンＩＤ変更を受け付けるための長押用ボタン手段と、
長押時間を計測するリモコン側時計部と、
リモコン側時計部で計測されている時間が所定の時間となった場合にリモコンＩＤ変更部を起動制御する起動制御部と、
を有する請求項１から４のいずれか一に記載のリモコンシステム。
【請求項６】
リモコン装置と、本体装置と、からなるリモコンシステムにおいて、
リモコン装置は、
リモコンＩＤを含むリモコン信号を出力するリモコン信号出力ステップと、
リモコンＩＤ変更ステップと、を有し、
本体装置は、
リモコン信号を受信するリモコン信号受信ステップと、
フィルタ用リモコンＩＤに基づいてリモコン信号をフィルタするフィルタステップと、
リモコン信号によりフィルタ用リモコンＩＤを変更するフィルタ変更ステップと、
フィルタ用リモコンＩＤ変更後にリモコン装置のリモコンＩＤ変更操作に関する説明表示を出力する説明表示出力ステップと、
を有するリモコンシステムの動作方法。
【請求項７】
フィルタステップは、不揮発メモリに保持されているコピー用リモコンＩＤをコピーしてフィルタ用リモコンＩＤとして揮発メモリへ格納する揮発メモリ格納サブステップを有する請求項６に記載のリモコンシステムの動作方法。
【請求項８】
不揮発メモリに保持されているコピー用リモコンＩＤをリモコン信号により変更する不揮発メモリ変更ステップと、
フィルタ変更ステップによるフィルタ用リモコンＩＤの変更に応じて時間を計測する本体側計時ステップと、
を有し、
フィルタ変更ステップは、本体側計時ステップでの計測時間が所定の時間となった際に不揮発メモリ変更ステップによる不揮発メモリの変更がされていない場合にはフィルタ変更ステップによって変更されていた揮発メモリ格納サブステップにおいて格納されているフィルタ用リモコンＩＤをその変更前の値に戻す復帰サブステップを有する
請求項７に記載のリモコンシステムの動作方法。
【請求項９】
不揮発メモリ変更ステップによるコピー用リモコンＩＤの変更後に、所定の処理が完了したことを利用者に知らせるための告知表示を出力する告知表示出力ステップをさらに有する請求項８に記載のリモコンシステムの動作方法。
【請求項１０】
リモコン装置のリモコンＩＤ変更ステップは、
不揮発メモリ変更ステップに対するコピー用リモコンＩＤ変更命令を含むリモコン信号送信用でありかつリモコンＩＤ変更を受け付けるためのボタン長押サブステップと、
長押時間を計測するリモコン側計時ステップと、
リモコン側計時ステップで計測されている時間が所定の時間となった場合にリモコンＩＤ変更ステップを起動制御する起動制御ステップと、
を有する請求項６から９のいずれか一に記載のリモコンシステムの動作方法。
【発明の詳細な説明】
【技術分野】
【０００１】
本発明は、リモコン番号の変更を簡易に行うことができるヒューマンインタフェース技術に関する。
【背景技術】
【０００２】
テレビやDVDレコーダなどのAV機器はリモコンにより操作するものが多い。リモコンは各社でリモコンコードが規定され、送信するリモコンコードメーカー識別コードをリモコンコードを送信する際に含め、機器とリモコン間の一致を行っている。しかし、上記のような方法では、テレビとDVDレコーダなどの機器の製造会社が同一の場合には、テレビのチャンネル切り替えの操作を行う際に、DVDレコーダのチャンネルをも切り替えてしまう場合が生ずる。これは、メーカー識別コードが同一のため、機器側で受信したリモコン信号が、どの機器に向けて送信されたものか、機器側で識別できないためである。
【０００３】
特許文献１では上記のような問題が起こることを回避するために、メーカー識別コードとは別に、さらにメーカー内のリモコンコードのＩＤである「群コード」を付して、同一メーカーの機器に対する、リモコンの通信における混信を防いでいる。このため、リモコンを使用する同一メーカーの機器が複数ある場合には、リモコンコードの群コードを設定する操作が必要である。
【特許文献１】実開昭６１−１４３３９３号公報
【０００４】
特許文献２には、同じくリモコンコードのＩＤ設定について、以下のような技術が開示されている。該技術では、リモコン側の特定のキーの操作により、乱数などのＩＤコードを発生し、これをリモコン側で保持すると同時に、機器側に転送し保持する。このようにして、生成したＩＤコードをリモコン通信に用い、機器側はＩＤコードが一致した場合のみ、操作命令を実行する。
【特許文献２】特開平５−３０８６７８号公報
【０００５】
非特許文献１では、リモコンコードのID設定について、以下のような技術が開示されている。該技術では、機器のマニュアルを参照しながら、リモコン側の特定のボタンの組み合わせを押下することで、リモコンモードのＩＤ設定を行う。
【非特許文献１】ソニー株式会社  ＢＤ−Ｚ−Ｌ７０／ＢＤ−Ｚ−Ｔ７０／ＢＤ−Ｚ−Ｌ５０取扱説明書Ｐ．５３
【発明の開示】
【発明が解決しようとする課題】
【０００６】
しかし、上記従来の技術には以下のような課題がある。第一に、特許文献１で開示されている技術では、群コードを機器相互で重複しないように設定すれば、リモコン通信の混信は防止できる。しかしながら、群コードの設定方法については、リモコン側で特定の操作を行うとあるのみで、その具体的手段については明らかでない。
【０００７】
特許文献２に開示されている技術では、リモコン側がＩＤコードを発生させるキーを備え、発生したＩＤコードを機器側に転送することで設定が完了するとあるが、利用者が設定の完了を確認する手段については明らかでない。また、発生したＩＤコードを機器側に転送する際にエラーが生じた場合に、復旧する手段についても明らかでない。このため、利用者が所定の操作を行ったつもりでいても、実際にはＩＤコードの転送エラーが生じており、機器側のＩＤコードが設定されていなかった場合には、利用者は転送時以降にリモコンによる操作ができない事態が生ずる。
【０００８】
したがって上記技術では、リモコンコードのＩＤを設定することで、リモコン通信の混信は防止することができるものの、利用者が設定の完了を何らかのフィードバックにより確認する手段がない点、設定エラー時の復旧手段、つまりフェイルセーフの手段がない点、が課題となる。
【０００９】
第二に、非特許文献１に開示されている技術は、リモコンコードのＩＤを設定する方法については明らかであるものの、設定マニュアルを参照しながら行うことが必要である。さらにその操作もリモコン内の複数のボタンを所定時間内に押下するという複雑なものとなっている。そのため、設定操作の難易度が高く、ユーザビリティに欠けるという点が課題となる。
【課題を解決するための手段】
【００１０】
以上の課題を解決するために、本発明は以下のようなリモコンシステムを提供する。第一に、まず、機器側（以降本体装置と称する）のリモコンコードのＩＤ（以降リモコンＩＤと称する）の設定をリモコン装置で行う。本体装置は以降、設定のリモコンＩＤをフィルタ用リモコンＩＤとして、このフィルタ用リモコンＩＤと受信したリモコンＩＤを一致させることでリモコンの識別を行う。その後、リモコン装置側のリモコンＩＤ変更操作を行う際に、リモコンＩＤ変更操作に関する説明を表示することが可能なリモコンシステムを提供する。
【００１１】
具体的には、リモコン装置と、本体装置と、からなるリモコンシステムであって、リモコン装置は、リモコンＩＤを含むリモコン信号を出力するリモコン信号出力部と、リモコンＩＤ変更部と、を有し、本体装置は、リモコン信号を受信するリモコン信号受信部と、フィルタ用リモコンＩＤに基づいてリモコン信号をフィルタするフィルタ部と、リモコン信号によりフィルタ用リモコンＩＤを変更するフィルタ変更部と、フィルタ用リモコンＩＤ変更後にリモコン装置のリモコンＩＤ変更操作に関する説明表示を出力する説明表示出力部と、を有するリモコンシステムである。
【００１２】
第二は、上記第一のリモコンシステムを基本として、本体装置側の不揮発メモリにリモコンＩＤをコピー用リモコンＩＤとして格納し、コピー用リモコンＩＤを揮発メモリにフィルタ用リモコンＩＤとしてコピーするリモコンシステムを提供する。具体的には、上記第一のリモコンシステムに加え、コピー用リモコンＩＤを不揮発に保持する不揮発メモリ部をさらに有し、フィルタ部は、不揮発メモリ部に保持されているコピー用リモコンＩＤをコピーしてフィルタ用リモコンＩＤとして保持する揮発メモリ手段を有するリモコンシステムである。
【００１３】
第三は、上記第二のリモコンシステムを基本として、本体装置の不揮発メモリに格納されたコピー用リモコンＩＤをリモコン装置が生成する信号で変更するリモコンシステムである。ただし、フィルタ用リモコンＩＤが変更されてから、所定の時間内にリモコン装置が生成する信号で不揮発メモリが更新されない場合には、不揮発メモリ内に存在するコピー用リモコンＩＤを揮発メモリにコピーしてフィルタ用リモコンＩＤを変更前の状態に復帰させる処理を行う。具体的には、上記第二のリモコンシステムを基本として、不揮発メモリ部のコピー用リモコンＩＤをリモコン信号により変更する不揮発メモリ変更部と、フィルタ変更部によるフィルタ用リモコンＩＤの変更に応じて時間を計測する本体側時計部とを有し、フィルタ変更部は、本体側時計部での計測時間が所定の時間となった際に不揮発メモリ変更部による不揮発メモリの変更がされていない場合にはフィルタ変更部によって変更されていた揮発メモリ手段に保持されるフィルタ用リモコンＩＤをその変更前の値に戻す復帰手段を有するリモコンシステムである。
【００１４】
第四は、上記第三のリモコンシステムを基本として、フィルタ用リモコンＩＤの変更にともなう所定時間内に不揮発メモリ内のコピー用リモコンＩＤが変更された場合に、所定の処理が完了したとして利用者にフィードバック情報を与えることが可能なリモコンシステムを提供する。具体的には、上記第三のリモコンシステムを基本として、不揮発メモリ変更部によるコピー用リモコンＩＤの変更後に、所定の処理が完了したことを利用者に知らせるための告知表示を出力する告知表示出力部をさらに有するリモコンシステムである。
【００１５】
第五は、上記第一ないし四のいずれかのリモコンシステムを基本として、リモコン装置のリモコンＩＤ変更操作において、長押用ボタンを所定の時間押下し続けた場合に、リモコン装置のリモコンＩＤを変更することが可能なリモコンシステムである。長押用ボタンはリモコン信号により本体装置側の不揮発メモリ内のコピー用リモコンＩＤ変更命令を送信する機能を兼ねる。したがって、リモコン装置のリモコンＩＤが変更されると同時に、コピー用リモコンＩＤ変更命令は本体装置により受け付けられ、不揮発メモリの内容が更新される。
【００１６】
具体的には、上記第一ないし四のいずれかのリモコンシステムに加えて、リモコン装置のリモコンＩＤ変更部は、不揮発メモリ変更部に対するコピー用リモコンＩＤ変更命令を含むリモコン信号送信用でありかつリモコンＩＤ変更を受け付けるための長押用ボタン手段と、長押時間を計測するリモコン側時計部と、リモコン側時計部で計測されている時間が所定の時間となった場合にリモコンＩＤ変更部を起動制御する起動制御部と、を有するリモコンシステムである。
【発明の効果】
【００１７】
以上のような構成をとる第一の本発明によって、リモコン装置を用いて本体装置側のリモコンＩＤの更新を行う処理を実行することができる。また、更新後にリモコン装置のリモコンＩＤ変更操作に関する説明表示を出力することによって、ディスプレイ装置などに表示された説明表示を参照しながら、リモコン装置側のリモコンＩＤの変更操作を行うことが可能である。つまり、マニュアルなどの他の情報媒体に依らず、簡易にリモコンＩＤの変更処理が可能である。
【００１８】
また、第二の本発明によって、不揮発メモリ部にコピー用リモコンＩＤを保持しておくことで、本体装置のリセットなどを行い、再度コピー用リモコンＩＤを揮発メモリにコピーすることで復帰が可能である。これにより、何らかの原因でリモコン装置側のリモコンＩＤが変更できなかった場合においても、本体装置のリセットを行えば揮発メモリはクリアされ、再度不揮発メモリの内容がコピー可能であるので、変更前の状態に復帰し、装置が操作不能になるのを防止するフェイルセーフ処理が可能である。
【００１９】
第三の本発明では、フィルタ用リモコンIDの変更後、一定時間の間本体装置の不揮発メモリの内容が変更されない場合には、フィルタ用リモコンIDを変更前の状態に戻す処理を行うことが可能である。これにより、リモコン装置のリモコンIDの変更に失敗した場合でも、一定時間経過すればフィルタ用リモコンIDの変更前の状態に復帰させるフェイルセーフ処理が可能である。
【００２０】
第四の本発明により、本体装置側の不揮発メモリの内容が変更され、本体装置側の処理が完了したことを表示することで、利用者に変更操作に対するフィードバック情報を提示する処理が可能となる。従って、変更操作の利便性や、操作の失敗の低減などの効果があり、ユーザビリティを向上する処理が可能である。
【００２１】
第五の本発明により、リモコン装置の長押しボタンの押下時間が所定の時間となった場合にリモコン装置のリモコンIDの変更を行うことで、誤操作によりリモコンIDを変更してしまうことを防止することができる。また、長押しボタンが不揮発メモリに対するリモコンIDの変更の命令を含むことで、所定時間経過後にリモコン装置側のリモコンIDが変更されて初めて不揮発メモリの変更命令が可能となる。これにより、リモコン装置側のリモコンIDのみが変更され、機器側のリモコンIDは設定変更に失敗し、結果として本体機器の操作が不能になるという事態を防止することが可能である。
【発明を実施するための最良の形態】
【００２２】
以下に、図を用いて本発明の実施の形態を説明する。なお、本発明はこれら実施の形態に何ら限定されるものではなく、その要旨を逸脱しない範囲において、種々なる態様で実施しうる。なお、実施例１は、主に請求項１および６について説明する。また、実施例２は、主に請求項２および７について説明する。実施例３は、主に請求項３および８について説明する。実施例４は、主に請求項４および９について説明する。実施例５は、主に請求項５および１０について説明する。
【００２３】
≪実施例１≫
<概要>
図１は、本体装置によりディスプレイ装置などにオンスクリーンディスプレイなど表示でされるメニュー画面の遷移を表した概念図であり、本実施例のリモコンシステムによるリモコンＩＤ変更処理の一例を説明するための図である。また図２０は従来技術のリモコンシステムによるリモコンＩＤ変更処理のメニュー画面を表した概念図である。図１Ａにあるように、まず、リモコン番号設定モードに切り替えを行う。次に図１Ｂにあるように、本体装置のリモコンＩＤの変更を行う画面が表示される。利用者はリモコン装置を用いて、本体装置のリモコンＩＤを選択する。選択が完了すると図１Ｃの画面が表示され、リモコン装置側の設定方法に関する説明が表示される。ここで、従来技術のリモコンＩＤ変更処理では、しかし、図１Ｃに対応するリモコン装置側の設定には図２０のようなメニュー画面が表示され、利用者はマニュアル（取扱説明書）を参照しながら設定を行う必要があった。
【００２４】
このように、リモコン装置を用いて本体装置側のリモコンＩＤの更新を行う処理を実行することができ、更新後にリモコン装置のリモコンＩＤ変更操作に関する説明表示を出力することによって、ディスプレイ装置などに表示された説明表示を参照しながら、マニュアルなどを参照することなく、簡易にリモコンＩＤの変更操作を行うことが可能である。
【００２５】
<機能的構成>
図２は、本実施例のリモコンシステムにおける機能ブロックの一例を表す図である。この図にあるように、本実施例の「リモコンシステム」（０２００）は、「リモコン装置」（０２０１）と、「本体装置」（０２０２）からなり、「リモコン装置」（０２０１）は、「リモコンＩＤ変更部」（０２０３）と、「リモコン信号出力部」（０２０４）とを有する。「本体装置」（０２０２）は、「リモコン信号受信部」（０２０５）と、「フィルタ部」（０２０６）と、「フィルタ変更部」（０２０７）と、「説明表示出力部」（０２０８）とを有する。
【００２６】
なお、以下に記載する映像処理装置の機能ブロックは、ハードウェア、ソフトウェア、又はハードウェア及びソフトウェアの両方として実現され得る。具体的には、コンピュータを利用するものであれば、CPUや主メモリ、バス、あるいは二次記録媒体（ハードディスクや不揮発性メモリ、CD−ROMやDVD−ROMなどの記憶メディアとそれらメディアの読取ドライブなど）、印刷機器や表示装置、その他の外部周辺装置などのハードウェア構成部やその外部周辺機器用のI/Oポート、それらハードウェアを制御するためのドライバプログラムやその他アプリケーションプログラム、情報入力に利用されるユーザーインターフェースなどが挙げられる。
【００２７】
またこれらハードウェアやソフトウェアは、主メモリ上に展開したプログラムをCPUで演算処理したり、メモリやハードディスク上に保持されているデータや、インターフェースを介して入力されたデータなどを加工、蓄積、出力処理したり、あるいは各ハードウェア構成部の制御を行ったりするために利用される。また、この発明は装置として実現できるのみでなく、方法としても実現可能である。また、このような発明の一部をソフトウェアとして構成することができる。さらに、そのようなソフトウェアをコンピュータに実行させるために用いるソフトウェア製品、及び同製品を記録媒体に固定した記録媒体も、当然にこの発明の技術的な範囲に含まれる（本明細書の全体を通じて同様である）。
【００２８】
「リモコンＩＤ変更部」（０２０３）は、リモコンＩＤを変更する機能を有する。「リモコンＩＤ」とは、「本体装置」（０２０２）がリモコンを識別するためのＩＤである。具体的には、リモコン信号の所定の形式で含まれる文字列などが挙げられる。「リモコンＩＤ」は、「本体装置」（０２０２）においてリモコン信号よりデコードされ、後述する「フィルタ部」（０２０６）においてそのリモコンＩＤが当該本体装置に設定されたリモコンＩＤと照合される。照合の結果、リモコンＩＤが一致すれば、「本体装置」（０２０２）によりリモコン信号に含まれる命令コードを受け付ける。
【００２９】
図３は本実施例におけるリモコンコードの一例を示す。リモコンコードはスタートコード（リーダ部）（０３０１）、データ部（０３０２）、およびストップコード（トレーラ部）（０３０３）により構成されている。データ部はさらにカスタムコード部（０３０４）、パリティ部（０３０５）、データコード部（０３０６）、そしてデータ部（０３０７）に分けることができる。リモコン装置が送信するリモコンＩＤコードはカスタムコード部（０３０４）に含まれる。また、データコード部（０３０６）にはチャンネルの変更や、リモコンＩＤの変更などを行う実行命令コードなどが含まれる。データ部（０３０７）には実行命令のパラメータとなる変更後のリモコンＩＤコードなどが含まれる。
【００３０】
「リモコンＩＤの変更」とはリモコン装置内の記憶領域内に含まれるリモコンＩＤコードを更新することを意味する。
【００３１】
「リモコン信号出力部」（０２０４）は、リモコンＩＤを含むリモコン信号を出力する機能を有する。「リモコン信号」とは、リモコンＩＤを表すコードなどと共に、本体装置（０２０２）の操作を遠隔で操作するために所定の命令を実行させるためのコードを電気信号化したものである。リモコン信号は「リモコン信号出力部」（０２０４）から電波や赤外線や、導線などの媒体などにより、本体装置（０２０２）の「リモコン信号受信部」（０２０５）に対して搬送される。
【００３２】
ここで、「本体装置」（０２０２）とは、リモコン装置で操作可能な機器を指す。例えば液晶テレビや、ＤＶＤレコーダ、ＨＤＤレコーダなどが挙げられる。
【００３３】
「リモコン信号受信部」（０２０５）は、リモコン信号を受信する機能を有する。具体的には「リモコン信号出力部」（０２０４）より出力された電波や赤外線などを受信し、電気信号化する。電気信号の中からリモコンＩＤや実行命令などをデコード処理により取り出す機能を有する。取り出したリモコンＩＤのコードは「フィルタ部」（０２０６）に対し出力される。また、フィルタ変更の実行命令は後述する「フィルタ変更部」（０２０７）に対し出力される。
【００３４】
「フィルタ部」（０２０６）は、フィルタ用リモコンＩＤに基づいてリモコン信号をフィルタする機能を有する。具体的には「リモコン信号受信部」（０２０５）においてデコードされたリモコンＩＤをフィルタ用リモコンＩＤと照合し、ＩＤが同一であれば、以降の命令実行コードやパラメータなどをフィルタ変更部やバックエンドＬＳＩなどに出力する。「フィルタ用リモコンＩＤ」は「フィルタ部」（０２０６）の記憶領域などに格納されたリモコンＩＤコードである。この「フィルタ用リモコンＩＤ」は「フィルタ変更部」（０２０７）により更新される。
【００３５】
「フィルタ変更部」（０２０７）は、リモコン信号によりフィルタ用リモコンＩＤを変更する機能を有する。具体的には「フィルタ部」（０２０６）においてデコードされたリモコン信号を受け付け、その中にフィルタ変更命令が存在すれば、「フィルタ部」（０２０６）に格納されているフィルタ用リモコンＩＤを変更する。図１を用いて説明すると、利用者に対して図１Ｂのような表示がなされ、利用者のリモコン装置により変更したいリモコン番号を選択する。すると、「フィルタ変更部」（０２０７）により選択されたリモコン番号へフィルタを変更する命令が実行され、「フィルタ部」（０２０６）のフィルタ用リモコンＩＤが変更される。
【００３６】
なお、フィルタ用リモコンＩＤの変更が完了しても、リモコン装置側が発するリモコンＩＤは変更されないので、本体装置は以降のリモコン操作は受け付けない。したがって、「リモコンＩＤ変更部」（０２０３）により、リモコン装置側のリモコンＩＤを変更することが必要となる。
【００３７】
「説明表示出力部」（０２０８）は、フィルタ用リモコンＩＤ変更後にリモコン装置のリモコンＩＤ変更操作に関する説明表示を出力する機能を有する。上述したように、フィルタ用リモコンＩＤの変更後にはリモコン装置側のリモコンＩＤの変更が必要である。本実施例のリモコンシステムでは、フィルタ用リモコンＩＤを変更する命令の実行が完了すると、図１Ｃのような説明表示を出力する。この説明表示により、第一に、本体装置のフィルタ用リモコンＩＤの変更の完了を知ることができる。第二にフィルタ用リモコンＩＤがどのＩＤに変更されたのかを知ることができる。第三にリモコン装置のリモコンＩＤ変更操作の手順をマニュアルなどのほかの情報媒体を参照せずに知ることができる。
【００３８】
説明表示は、図１Ｃのように本体機器に接続されたディスプレイ装置にオンスクリーンディスプレイ表示として出力されてもよいし、音声ガイダンスなどで出力されてもよい。
【００３９】
<処理の流れ>
図４は、本実施例のリモコンシステムにおけるリモコンＩＤ変更処理の流れの一例を表すフローチャートである。なお、以下に示すステップは、媒体に記録され計算機を制御するためのプログラムを構成する処理ステップであっても構わない。この図にあるように、まず、リモコン装置側でリモコンＩＤと、フィルタ用リモコンＩＤの変更の実行命令とを含むリモコン信号を出力する（ステップＳ０４０１）。次に、本体装置側でリモコン信号を受信する（ステップＳ０４０２）。次に、フィルタ用リモコンＩＤに基づいてリモコン信号をフィルタリングする（ステップＳ０４０３）。フィルタリングの結果、フィルタ用リモコンＩＤと受信したリモコンＩＤが一致すると、リモコン信号によりフィルタ用リモコンＩＤを変更する処理を行う（ステップＳ０４０４）。その後、リモコン装置のリモコンＩＤ変更操作に関する説明表示を出力する（ステップＳ０４０５）。説明表示が出力されると、リモコン装置において所定の操作の受付（ステップＳ０４０６）の後、リモコンＩＤの変更処理を行う（ステップＳ０４０６）。
【００４０】
このように、上記本実施例のリモコンシステムは、リモコン装置において、本体装置のリモコン設定の変更処理が可能である。またリモコン装置のリモコン設定の変更は本体装置の変更処理の完了後に、説明表示を出力し、リモコン設定の変更処理が可能になる。
【００４１】
<ハードウェア構成>
図５は、上記機能的な各構成要件をハードウェアとして実現した際の、リモコンシステムにおける構成の一例を表す概略図である。この図を利用してリモコン設定変更処理におけるそれぞれのハードウェア構成部の働きについて説明する。この図にあるように、リモコンシステムは、「リモコン装置」（０５０１）と「本体装置」（０５０２）から構成される。「リモコン装置」（０５０１）は、リモコン装置の制御を行う「マイコン」（０５０３）と、利用者の操作入力を受け付ける入力ボタン（０５０４）と、リモコン信号を搬送する赤外線を発光させる「赤外線発光素子」（０５０５）とを有する。「マイコン」（０５０３）は回路上に各種演算処理を行う「ＣＰＵ（中央演算装置）」（０５０６）と「ＲＡＭ」（０５０７）と、「ＲＯＭ」（０５０８）を有しており、相互に接続されている。
【００４２】
「本体装置」（０５０２）は「赤外線受光素子」（０５０９）と、「フロントマイコン」（０５１０）と、「バックエンドＬＳＩ」（０５１１）と、「ＲＡＭ」（０５１２）と、「ＲＯＭ」（０５１３）とを有する。「フロントマイコン」（０５１０）は回路上に各種演算処理を行う「ＣＰＵ（中央演算装置）」（０５１４）と、「ＲＡＭ」（０５１５）と、「ＥＥＰＲＯＭ」（０５１６）とを有しており、これらは相互に接続されている。
【００４３】
「フロントマイコン」（０５１０）は上記のほか、受信したリモコン信号をデコードし、リモコンＩＤコードの照合を行う。また、ボタンや機器に装備された表示部などのヒューマンインタフェースなどの制御を行う。「バックエンドＬＳＩ」（０５１１）は、上記のほか、音声・映像のエンコーダ・デコーダや記憶媒体のコントローラ、ストリームプロセッサなどを内蔵している。
【００４４】
「ＲＡＭ」（０５０７、０５１２）は、各種処理を行うファームウエアなどのプログラムをＣＰＵに実行させるために読み出すと同時にそのプログラムの作業領域でもあるワーク領域を提供する。また、この「ＲＡＭ」（０５０７、０５１２）や「ＲＯＭ」（０５０８）および「ＥＥＰＲＯＭ」（０５１６）にはそれぞれ複数のメモリアドレスが割り当てられており、「ＣＰＵ」（０５０６、０５１４）で実行されるプログラムは、そのメモリアドレスを特定しアクセスすることで相互にデータのやりとりを行い、処理を行うことが可能になっている。
【００４５】
ここで、「入力ボタン」（０５０４）によりリモコン設定変更の操作入力が受付けられると、所定の電気信号がマイコンに入力される。すると「ＲＡＭ」（０５０７）上のリモコンＩＤの値ｒ１のコードと、フィルタ用リモコンＩＤ変更の実行命令ｘ１のコード、およびパラメータとして変更後のフィルタ用リモコンＩＤの値ｒ２を含む送信コード文字列の値ｃ１が「ＣＰＵ」（０５０６）により構成され、「赤外線発光素子」（０５０５）に対して電気信号として出力される。図３を用いて説明すると、カスタムコード部（０３０４）にｒ１、データコード部（０３０６）にｘ１、データ部（０３０７）にｒ２に対応するコードが含まれるという具合である。「赤外線発光素子」（０５０５）は生成された電気信号を赤外線に変換して、「本体装置」（０５０２）の「赤外線受光素子」（０５０９）に向け発光する。
【００４６】
「本体装置」（０５０２）の「フロントマイコン」（０５１０）では「赤外線受光素子」（０５０９）で受信した信号を入力として受け取り、「ＣＰＵ」（０５１４）においてデコード処理を行う。この受信コード文字列の値ｃ１を「フロントマイコン」（０５１０）の「ＲＡＭ」（０５１５）に格納する。まず、このｃ１に含まれるリモコン装置のリモコンＩＤの値ｒ１と、「ＲＡＭ」（０５１５）に格納されているフィルタ用リモコンＩＤの変数Ｒｆの値を照合する。照合の結果ＩＤが一致すれば、受信コード文字列の値ｃ１内のリモコン設定変更の実行命令ｘ１とパラメータｒ２を抽出する。抽出されたｘ１は「ＣＰＵ」（０５１４）において実行され、「ＲＡＭ」（０５１５）上のＲｆへｒ２を代入して値を変更する。変更が完了すると、その旨がバックエンドＬＳＩに伝えられ、「ＲＡＭ」（０５１２）に格納されていた説明表示文字列が映像出力などから出力される。
【００４７】
その後、「リモコン装置」（０５０１）では、「入力ボタン」（０５０４）においてリモコンＩＤの変更命令が受け付けられ、この電気信号が「マイコン」（０５０３）に入力される。すると、「リモコン装置」（０５０１）のリモコンＩＤを変更する実行命令ｘ３がパラメータをｒ２として「ＣＰＵ」（０５０６）において実行される。すると、現在のリモコンＩＤの変数Ｒｒの値がｒ１からｒ２へ変更され、変数Ｒｒの値として確保された領域の内容がｒ１からｒ２へ書き換わる。こうして、「リモコン装置」（０５０１）のリモコンＩＤの変更処理が完了する。
【００４８】
<効果の簡単な説明>
以上のように本実施例のリモコンシステムによって、リモコン装置によって本体装置のリモコン設定の変更が可能である。また、リモコン装置のリモコン設定の変更は本体装置の出力する説明表示を参照しながら実行することが可能である。このため、マニュアルのような他の情報媒体を使用することなく、簡易に設定の変更を行うことが可能である。
【００４９】
≪実施例２≫
<概要>
本実施例のリモコンシステムでは、不揮発メモリにリモコンＩＤを保持して、これを揮発メモリにコピーして、フィルタ用リモコンＩＤとする処理が可能である。このような処理により、例えばリモコン設定変更中途でエラーが発生し、本体装置とリモコンのリモコンＩＤに食い違いが生じて操作が不能になったとしても、機器のリセット動作などを行うことにより、揮発メモリをクリアすることが可能である。揮発メモリがクリアされると不揮発メモリのリモコンＩＤが揮発メモリにコピーされるので、機器のリモコン設定を変更前の状態に復旧することが可能である。
【００５０】
このように本実施例は実施例１を基本とし、不揮発メモリ部と、フィルタ部に揮発メモリ手段とをさらに有し、不揮発メモリ部に保持されているリモコンＩＤを揮発メモリ手段にコピーしてフィルタ用リモコンＩＤとする処理が可能であることを特徴とする映像処理装置である。
【００５１】
<機能的構成>
図６は、本実施例のリモコンシステムにおける機能ブロックの一例を表す図である。この図にあるように、本実施例の「リモコンシステム」（０６００）は、実施例１を基本として「リモコン装置」（０６０１）と、「本体装置」（０６０２）と、からなる。「リモコン装置」（０６０１）は、「リモコンＩＤ変更部」（０６０３）と、「リモコン信号出力部」（０６０４）とを有する。「本体装置」（０６０２）は、「リモコン信号受信部」（０６０５）と、「フィルタ部」（０６０６）と、「フィルタ変更部」（０６０７）と、「説明表示出力部」（０６０８）とを有する。なお、これら構成要件については実施例１にて既に記載済みであるのでその説明は省略する。そして、本実施例のリモコンシステムの特徴点は、「本体装置」（０６０２）が、「不揮発メモリ部」（０６０９）を有する点と、「フィルタ部」（０６０６）が「揮発メモリ手段」（０６１０）を有する点である。
【００５２】
「不揮発メモリ部」（０６０９）は、コピー用リモコンＩＤを不揮発に保持する機能を有する。「コピー用リモコンＩＤ」とは、「フィルタ部」（０６０６）の「揮発メモリ手段」（０６１０）にコピーされ、フィルタ用リモコンＩＤとして利用されるためにスタンバイしているリモコンＩＤである。当部に保持されたコピー用リモコンＩＤは本体装置をリセットしたり、電源を切ったりしても保持される。保持されたコピー用リモコンＩＤは所定の機会に「フィルタ部」（０６０６）へ出力され、「揮発メモリ手段」（０６１０）にコピーされる。
【００５３】
「揮発メモリ手段」（０６１０）は、「フィルタ部」（０６０６）において、不揮発メモリ部に保持されているコピー用リモコンＩＤをコピーしてフィルタ用リモコンＩＤとして保持する機能を有する。当手段は、ＲＡＭなどの揮発性を有する記憶装置で構成されるため、フィルタ用リモコンＩＤは本体装置をリセットしたり、電源を切ったりすると消失する。このため「不揮発メモリ部」（０６０９）でスタンバイしているコピー用リモコンＩＤを入力として受け取り、フィルタ用リモコンＩＤとして再度格納する処理が必要である。また、フィルタ用リモコンＩＤは当手段において「フィルタ変更部」（０６０７）により随時書き換え処理が可能である。
【００５４】
<処理の流れ>
図７は、本実施例のリモコンシステムにおける処理の流れの一例を表すフローチャートである。なお、以下に示すステップは、媒体に記録され計算機を制御するためのプログラムを構成する処理ステップであっても構わない。この図にあるように、本体装置側ではあらかじめ装置の起動やリセット時などに、不揮発メモリに保持されているコピー用リモコンＩＤを揮発メモリにコピーしてフィルタ用リモコンＩＤとして格納する（ステップＳ０７０１）。リモコン装置側でリモコンＩＤと、フィルタ用ＩＤ変更の実行命令とを含むリモコン信号の送信を行う（ステップＳ０７０２）。本体装置側では、リモコン信号を受信し（ステップＳ０７０３）、フィルタ用リモコンＩＤに基づいてリモコン信号をフィルタリングする（ステップＳ０７０４）。次に、フィルタリングの結果リモコンＩＤが一致したならば、リモコン信号によりフィルタ用リモコンＩＤを変更する（ステップＳ０７０５）。変更が完了したら、リモコン装置のリモコンＩＤ変更操作に関する説明表示を出力する（ステップＳ０７０６）。その後、リモコン装置では、所定の操作を受け付け（ステップＳ０７０７）、リモコンＩＤの変更がされる（ステップＳ０７０８）。
【００５５】
このように、本実施例のリモコンシステムは、起動時やリセット時、あるいは所定の操作を行った場合に、不揮発メモリに保持されているコピー用リモコンＩＤを揮発メモリにコピーしてフィルタ用リモコンＩＤとして使用する処理を有することを特徴とする。このため、リモコン設定の変更中にエラーが生じても本体側の設定を復旧することで、リモコンＩＤの不一致によりリモコン操作が不可能になるという事態を防止することが可能である。
【００５６】
<ハードウェア構成>
図８は、上記機能的な各構成要件をハードウェアとして実現した際の、リモコンシステムにおける構成の一例を表す概略図である。この図を利用してリモコン設定変更処理におけるそれぞれのハードウェア構成部の働きについて説明する。この図にあるように、リモコンシステムは実施例１と同様に、「リモコン装置」（０８０１）と「本体装置」（０８０２）から構成される。「リモコン装置」（０８０１）は、リモコン装置の制御を行う「マイコン」（０８０３）と、利用者の操作入力を受け付ける入力ボタン（０８０４）と、リモコン信号を搬送する赤外線を発光させる「赤外線発光素子」（０８０５）とを有する。「マイコン」（０８０３）は回路上に各種演算処理を行う「ＣＰＵ（中央演算装置）」（０８０６）と「ＲＡＭ」（０８０７）と、「ＲＯＭ」（０８０８）を有しており、相互に接続されている。
【００５７】
「本体装置」（０８０２）は「赤外線受光素子」（０８０９）と、「フロントマイコン」（０８１０）と、「バックエンドＬＳＩ」（０８１１）と、「ＲＡＭ」（０８１２）と、「ＲＯＭ」（０８１３）とを有する。「フロントマイコン」（０８１０）は回路上に各種演算処理を行う「ＣＰＵ（中央演算装置）」（０８１４）と、「ＲＡＭ」（０８１５）と、「ＥＥＰＲＯＭ」（０８１６）とを有しており、これらは相互に接続されている。「ＥＥＰＲＯＭ」（０８１６）にはコピー用リモコンＩＤの値としてｒ１が保持されている。
【００５８】
ここで、何らかの原因で、「本体装置」（０８０２）の「ＲＡＭ」（０８１５）に格納されているフィルタ用リモコンＩＤの変数Ｒｆの内容がｒ２であり、「リモコン装置」（０８０１）のリモコンＩＤはｒ１と食い違ってしまった場合を説明する。この場合、「リモコン装置」（０８０１）の送信するリモコンＩＤ：ｒ１のリモコンコードはフィルタリングされコマンドが実行されない。すなわち「リモコン装置」（０８０１）では「本体装置」（０８０２）の操作ができない状態となる。そこで、「本体装置」（０８０２）に対してリセットや所定の操作を行うと、不揮発メモリの値がクリアされ、ＲＡＭ上のＲｆの内容は空値になる。その後、ＥＥＰＲＯＭ内のコピー用ＩＤの値であるｒ１がＲｆの値として代入される。このため、「本体装置」（０８０２）の「フロントマイコン」（０８１０）はリモコンＩＤ：ｒ１のリモコンコードを再び受け入れる状態になり、「リモコン装置」（０８０１）で以降のフィルタ用リモコンＩＤ変更の操作を行うことが可能となる。以降のフィルタ用リモコンＩＤの変更を行う処理や、リモコン装置側のリモコンＩＤ変更処理のハードウェアの動作などについては、実施例１のハードウェア動作と同様であるので記述は省略する。
【００５９】
上記のような動作により、操作中にエラーが生じたなどの原因で、「リモコン装置」（０８０１）と「本体装置」（０８０２）のリモコンＩＤに相違が生じ、リモコン操作が不能となった場合でも、リセット動作などで「ＲＡＭ」（０８１５）のＲｆの内容をクリアすれば、復旧が可能である。
【００６０】
<効果の簡単な説明>
このようにして、リモコン設定変更中などにエラーや操作の中断などで、本体装置側のみのリモコンＩＤが変わってしまい、リモコン操作が不能になった場合でも、リセット動作などで不揮発メモリにスタンバイしているコピー用リモコンＩＤを揮発メモリにコピーしてフィルタ用リモコンＩＤとして使用することで、本体操作の状態を復旧できる。このため、タスクのエラーが起こったとしても本実施例で説明したようなフェイルセーフの仕組みが働くことで信頼性の高い操作の遂行が可能である。
【００６１】
≪実施例３≫
<概要>
本実施例のリモコンシステムは、実施例２を基本として、本体装置のフィルタ用リモコンＩＤの変更後、不揮発メモリに保持されているコピー用リモコンＩＤを変更することにより、本体装置側のリモコン設定を変更することを特徴とする。また、フィルタ用リモコンＩＤの変更後、所定の時間内にコピー用リモコンＩＤの変更がされない場合には、変更前のフィルタ用リモコンＩＤに復帰する処理を行う点を特徴とする。これにより、リモコン設定の変更中に変更タスクの中断や、エラーが発生した場合に、タイムアウトの到来とともに変更前のリモコン設定に復旧することが可能である。これにより、実施例２で説明したような、フェイルセーフの機構が動作する処理が可能であると同時に、本体のリセット動作などを行うことなく復旧処理が可能であるので、より信頼性の高いリモコン設定変更処理が可能である。
【００６２】
<機能的構成>
図９は、本実施例のリモコンシステムにおける機能ブロックの一例を表す図である。この図にあるように、本実施例の「リモコンシステム」（０９００）は、実施例２を基本として「リモコン装置」（０９０１）と、「本体装置」（０９０２）と、からなる。「リモコン装置」（０９０１）は、「リモコンＩＤ変更部」（０９０３）と、「リモコン信号出力部」（０９０４）とを有する。「本体装置」（０９０２）は、「リモコン信号受信部」（０９０５）と、「フィルタ部」（０９０６）と、「フィルタ変更部」（０９０７）と、「説明表示出力部」（０９０８）と、「不揮発メモリ部」（０９０９）とを有する。また「フィルタ部」（０９０６）は、「揮発メモリ手段」（０９１０）を有する。なお、これら構成要件については実施例２にて既に記載済みであるのでその説明は省略する。そして、本実施例のリモコンシステムの特徴点は、「本体装置」（０９０２）が、「不揮発メモリ変更部」（０９１１）と、「本体側時計部」（０９１２）とを有する点と、「フィルタ変更部」（０９０７）が「復帰手段」（０９１３）を有する点である。
【００６３】
「不揮発メモリ変更部」（０９１１）は、不揮発メモリ部のコピー用リモコンＩＤをリモコン信号により変更する機能を有する。具体的には、リモコン信号に含まれたコピー用リモコンＩＤの実行命令と変更後のコピー用リモコンＩＤの値などをフィルタ部より入力として受け取り、不揮発メモリに格納されているコピー用リモコンＩＤの値を変更する。不揮発メモリとしてはＥＥＰＲＯＭ（Ｆｌａｓｈ ＲＯＭ）などが用いられる。
【００６４】
「本体側時計部」（０９１２）は、フィルタ変更部によるフィルタ用リモコンＩＤの変更に応じて時間を計測する機能を有する。具体的には、フィルタ変更部でフィルタ用リモコンＩＤの変更命令が実行されたのに応じて、所定の時間を計測する機能を有する。所定の時間が経過すると、後述する「復帰手段」（０９１３）に対して信号を出力する。
【００６５】
「復帰手段」（０９１３）は、フィルタ変更部において、本体側時計部での計測時間が所定の時間となった際に不揮発メモリ変更部による不揮発メモリの変更がされていない場合にはフィルタ変更部によって変更されていた揮発メモリ手段に保持されるフィルタ用リモコンＩＤをその変更前の値に戻す機能を有する。具体的には、「本体側時計部」（０９１２）より所定の時間が経過した際にその旨の信号を受け取る。「フィルタ部」（０９０６）または「不揮発メモリ変更部」（０９１１）からは、不揮発メモリ変更の命令が実行され「不揮発メモリ部」（０９０９）のコピー用リモコンIDが変更されたか否かの信号を受け取る。ここで、「本体側時計部」（０９１２）から所定時間経過の信号を受け取った際に、コピー用リモコンIDの変更を検出していない場合には、「復帰手段」（０９１３）は「揮発メモリ手段」（０９１０）に対して、「不揮発メモリ部」（０９０９）に格納されているコピー用リモコンＩＤを「揮発メモリ手段」（０９１０）にコピーするような実行命令を出力する。コピーされたリモコンＩＤは「揮発メモリ手段」（０９１０）においてフィルタ用リモコンＩＤとして保持され、「フィルタ部」（０９１０）におけるリモコンコードのフィルタリング処理に使用される。
【００６６】
上記のような構成により、本実施例のリモコンシステムはフィルタ用リモコンＩＤが変更されても、「本体側時計部」（０９１２）の計測する所定時間経過内にコピー用リモコンＩＤが変更されない場合には、「復帰手段」（０９１３）により、変更前のフィルタ用リモコンＩＤである、コピー用リモコンＩＤがコピーされフィルタ用リモコンＩＤを変更前の状態に復帰させる処理が可能である。
【００６７】
<処理の流れ>
図１０は、本実施例のリモコンシステムにおける処理の流れの一例を表すフローチャートである。なお、以下に示すステップは、媒体に記録され計算機を制御するためのプログラムを構成する処理ステップであっても構わない。この図にあるように、まず、本体装置側ではあらかじめ装置の起動やリセット時などに、不揮発メモリに保持されているコピー用リモコンＩＤを揮発メモリにコピーしてフィルタ用リモコンＩＤとして格納する（ステップＳ１００１）。次に、リモコン装置側ではリモコンＩＤと、フィルタ用ＩＤ変更の実行命令とを含むリモコン信号の送信を行う（ステップＳ１００２）。本体装置側では、リモコン信号を受信し（ステップＳ１００３）、フィルタ用リモコンＩＤに基づいてリモコン信号をフィルタリングする（ステップＳ１００４）。次に、フィルタリングの結果リモコンＩＤが一致したならば、リモコン信号によりフィルタ用リモコンＩＤを変更する（ステップＳ１００５）。
【００６８】
次に、変更に応じて時間の計測を開始する（ステップＳ１００６）。その後、リモコン装置のリモコンＩＤ変更操作に関する説明表示を出力する（ステップＳ１００７）。出力の後、リモコン装置では、所定の操作を受け付け（ステップＳ１００８）、リモコンＩＤの変更がされる（ステップＳ１００９）。
【００６９】
本体装置側では、コピー用リモコンＩＤの値が変更されたか否かが判断される（Ｓ１０１０）。変更されたと判断された場合には、リモコン設定変更処理は終了する。変更されていない場合には、時間の計測開始（ステップＳ１００６）より所定時間が経過しているか否かの判断を行う。経過していないと判断された場合には、再びコピー用リモコンＩＤ変更の真偽を判断する処理（ステップＳ１０１０）に戻る。経過していると判断された場合には、タイムアウトとして扱われ不揮発メモリに保持されているコピー用リモコンＩＤを揮発メモリへコピーしてフィルタ用リモコンＩＤとして格納する処理（ステップＳ１００１）へ戻り、本体装置側のリモコン設定は変更処理（ステップＳ１００５）前の状態に復帰する。
【００７０】
ここで、本実施例におけるコピー用リモコンＩＤの変更処理であるが、リモコン装置側のリモコンＩＤ変更処理（ステップＳ１００９）以降、所定の時間の経過までであれば任意のタイミングで行うことが可能である。例えば、リモコン装置のリモコンＩＤ変更操作に関する説明表示が出力された（ステップＳ１００７）後、リモコン装置側で所定の操作の受付（Ｓ１００８）時に同時に行うこととすることも可能であるし、それ以降に別途行うことも可能である。リモコン装置側のリモコンＩＤ変更処理（ステップＳ１００９）以前にコピー用リモコンＩＤの変更処理ができないのは、リモコンＩＤを本体装置側と同様に更新しなければ、リモコン装置が送信した送信コードはリモコンＩＤが一致しないため、フィルタリング処理により命令を実行しないためである。コピー用リモコンＩＤの変更処理はリモコン装置により所定の操作で行うことも可能であるし、本体装置側のボタン等の入力装置などで行うことも考えられる。
【００７１】
<ハードウェア構成>
図１１は、上記機能的な各構成要件をハードウェアとして実現した際の、リモコン装置における構成の一例を表す概略図である。この図を利用してリモコンコード変更処理におけるそれぞれのハードウェア構成部の働きについて説明する。この図にあるように、本実施例のリモコンシステムは実施例２と同様に、「リモコン装置」（１１０１）と「本体装置」（１１０２）から構成される。「リモコン装置」（１１０１）は、リモコン装置の制御を行う「マイコン」（１１０３）と、利用者の操作入力を受け付ける入力ボタン（１１０４）と、リモコン信号を搬送する赤外線を発光させる「赤外線発光素子」（１１０５）とを有する。「マイコン」（１１０３）は回路上に各種演算処理を行う「ＣＰＵ（中央演算装置）」（１１０６）と「ＲＡＭ」（１１０７）と、「ＲＯＭ」（１１０８）を有しており、相互に接続されている。
【００７２】
「リモコン装置」（１１０１）の「ＲＡＭ」（１１０７）上には、現在のリモコンＩＤの値であるｒ１と、変更後のリモコンＩＤの値であるｒ２が格納されている。また、フィルタ用リモコンＩＤを変更する実行命令であるｘ１、およびコピー用リモコンＩＤを変更する実行命令であるｘ２が格納されている。
【００７３】
「本体装置」（１１０２）は「赤外線受光素子」（１１０９）と、「フロントマイコン」（１１１０）と、「バックエンドＬＳＩ」（１１１１）と、「ＲＡＭ」（１１１２）と、「ＲＯＭ」（１１１３）とを有する。「フロントマイコン」（１１１０）は回路上に各種演算処理を行う「ＣＰＵ（中央演算装置）」（１１１４）と、「ＲＡＭ」（１１１５）と、「ＥＥＰＲＯＭ」（１１１６）と、「タイマ」（１１１７）を有しており、これらは相互に接続されている。
【００７４】
フィルタ用リモコンＩＤの変更処理、すなわち図１０のステップＳ１００１〜ステップＳ１００５に対応する処理については、実施例２において説明済みであるので記載は省略する。ここでは、フィルタ用リモコンＩＤの変更に応じて時間を計測する処理（ステップＳ１００７）以降について説明する。ここでフィルタ用リモコンＩＤが変更されると、「本体装置」（１１０２）の「ＲＡＭ」（１１１５）に格納されている変数Ｒｆの値がｒ１からｒ２に変更される。このとき同時に、「タイマ」（１１１７）により計時が開始される。
【００７５】
「バックエンドＬＳＩ」（１１１１）により「ＲＡＭ」（１１１２）内の説明表示文字列が出力されると、「リモコン装置」（１１０１）では「入力ボタン」（１１０４）により「リモコン装置」（１１０１）のリモコンＩＤの値ｒ１をｒ２に変更する操作がなされる。このハードウェア動作については、実施例１において説明済みであるので詳しい記載は省略する。これにより、この後行われる、コピー用リモコンＩＤの変更処理が可能となる。「ＣＰＵ」（１１０６）において、先ほど変更したリモコンＩＤの値ｒ２のコードとコピー用リモコンＩＤを変更する実行命令ｘ２のコードと、パラメータとして変更後のコピー用リモコンＩＤの値ｒ２のコードを含む送信コードｃ２が構成され、電気信号として「赤外線発光素子」（１１０５）へ出力される。「本体装置」（１１０２）ではこれを「赤外線受光素子」（１１０９）で受信し、電気信号からのデコード処理を行って「フロントマイコン」（１１１０）の「ＲＡＭ」（１１１５）に受信コード文字列の値ｃ２として格納する。まず、このｃ２に含まれるリモコン装置のリモコンＩＤｒ２と、「ＲＡＭ」（１１１５）に格納されているフィルタ用リモコンＩＤの変数Ｒｆの値を照合する。Ｒｆの値はこのときｒ２となっているので、ｃ２内のリモコン設定変更の実行命令ｘ２とパラメータｒ２を抽出する。
【００７６】
このとき、「ＣＰＵ」（１１１４）において「タイマ」（１１１７）により計時が行われている経過時間が所定の値ｔ１を超えているか否かが比較される。経過時間がｔ１を超える以前であれば、抽出されたｘ２は「ＣＰＵ」（１１１４）において実行され、「ＥＥＰＲＯＭ」（１１１６）上のコピー用リモコンＩＤを格納している領域の値をｒ１からｒ２へ更新し処理が完了する。一方、経過時間がｔ１を超えていた場合にはｘ２は実行されずに「ＥＥＰＲＯＭ」（１１１６）に保持されているコピー用リモコンＩＤの値ｒ２を「ＲＡＭ」（１１１５）のＲｆへ代入してフィルタ用リモコンＩＤの値を変更前のｒ１へ復旧する。
【００７７】
なお、「リモコン装置」（１１０１）におけるリモコン設定変更のハードウェア動作については実施例１で説明済みであるので、記載は省略する。
【００７８】
<効果の簡単な説明>
以上のように、本実施例のリモコンシステムによって本体側のリモコン設定が変更された後、エラーなどによって処理が中断した場合に、所定の時間の到来と共にリモコン設定を復旧する処理を行うことで、リモコン設定変更処理をさらに安全に行うことが可能となる。
【００７９】
≪実施例４≫
<概要>
本実施例のリモコンシステムは、実施例３を基本として、コピー用リモコンＩＤの変更の完了後に所定の処理が完了したことを利用者に通知する処理が可能なシステムである。図１２は本実施例のリモコンシステムの概要を示す図である。図に示すように、図１２Ａおよび図１２Ｂには、リモコン側の番号が変更された旨の告知が表示され、リモコン側の「終了」ボタンまたは「決定」ボタンの押下を促している。このボタンの押下により利用者は、リモコン設定の変更完了を認知することができる。
【００８０】
<機能的構成>
図１３は、本実施例のリモコンシステムにおける機能ブロックの一例を表す図である。この図にあるように、本実施例の「リモコンシステム」（１３００）は、実施例３を基本として「リモコン装置」（１３０１）と、「本体装置」（１３０２）と、からなる。「リモコン装置」（１３０１）は、「リモコンＩＤ変更部」（１３０３）と、「リモコン信号出力部」（１３０４）とを有する。「本体装置」（１３０２）は、「リモコン信号受信部」（１３０５）と、「フィルタ部」（１３０６）と、「フィルタ変更部」（１３０７）と、「説明表示出力部」（１３０８）と、「不揮発メモリ部」（１３０９）と、「不揮発メモリ変更部」（１３１１）と、「本体側時計部」（１３１２）とを有する。また「フィルタ部」（１３０６）は、「揮発メモリ手段」（１３１０）を有し、「フィルタ変更部」（１３０７）は「復帰手段」（１３１３）を有する。なお、これら構成要件については実施例３にて既に記載済みであるのでその説明は省略する。そして、本実施例のリモコンシステムの特徴点は、「本体装置」（１３０２）が、「告知表示出力部」（１３１４）を有する点である。
【００８１】
「告知表示出力部」（１３１４）は、不揮発メモリ変更部によるコピー用リモコンＩＤの変更後に、所定の処理が完了したことを利用者に知らせるための告知表示を出力する機能を有する。具体的には、「不揮発メモリ変更部」（１３１１）よりコピー用リモコンＩＤの変更完了の信号を入力として受け取り、告知表示の文字列を本体装置に接続された液晶ディスプレイなどの出力装置に対して出力を行う。
【００８２】
<処理の流れ>
図１４は、本実施例のリモコンシステムにおける処理の流れの一例を表すフローチャートである。なお、以下に示すステップは、媒体に記録され計算機を制御するためのプログラムを構成する処理ステップであっても構わない。なお、ステップＳ１４０１〜ステップＳ１４１１の処理は実施例３において説明済みであるので記載は省略する。本実施例のリモコンシステムの処理の特徴点は、コピー用リモコンＩＤの変更を検出（ステップＳ１４１０）した後に、所定の処理が完了したことを利用者に知らせるための告知表示を出力する点にある。このような処理を行うことにより、利用者はリモコン設定の変更タスクの終了した旨のフィードバック情報を得ることが可能である。
【００８３】
<ハードウェア構成>
図１５は、上記機能的な各構成要件をハードウェアとして実現した際の、リモコン装置における構成の一例を表す概略図である。この図を利用してリモコンコード変更処理におけるそれぞれのハードウェア構成部の働きについて説明する。この図にあるように、本実施例のリモコンシステムは実施例３と同様に、「リモコン装置」（１５０１）と「本体装置」（１５０２）から構成される。「リモコン装置」（１５０１）は、リモコン装置の制御を行う「マイコン」（１５０３）と、利用者の操作入力を受け付ける入力ボタン（１５０４）と、リモコン信号を搬送する赤外線を発光させる「赤外線発光素子」（１５０５）とを有する。「マイコン」（１５０３）は回路上に各種演算処理を行う「ＣＰＵ（中央演算装置）」（１５０６）と「ＲＡＭ」（１５０７）と、「ＲＯＭ」（１５０８）を有しており、相互に接続されている。
【００８４】
「本体装置」（１５０２）は「赤外線受光素子」（１５０９）と、「フロントマイコン」（１５１０）と、「バックエンドＬＳＩ」（１５１１）と、「ＲＡＭ」（１５１２）と、「ＲＯＭ」（１５１３）とを有する。「フロントマイコン」（１５１０）は回路上に各種演算処理を行う「ＣＰＵ（中央演算装置）」（１５１４）と、「ＲＡＭ」（１５１５）と、「ＥＥＰＲＯＭ」（１５１６）と、「タイマ」（１５１７）を有しており、これらは相互に接続されている。
【００８５】
実施例３のリモコンシステムとの差異点は、「本体装置」（１５０２）の「バックエンドＬＳＩ」（１５１１）に接続された「ＲＡＭ」（１５１５）上に告知表示用文字列が格納されている点である。なお、コピー用リモコンＩＤの値が更新されるまでのハードウェア動作については実施例３で説明済みであるので記載は省略する。「ＥＥＰＲＯＭ」（１５１６）内の、コピー用リモコンＩＤの値がｒ１よりｒ２に変更された際に、これを「ＣＰＵ」（１５１４）が検出し、「バックエンドＬＳＩ」（１５１１）にその旨の信号を送出する。すると、「ＲＡＭ」（１５１２）に格納されている告知表示用文字列が映像出力などを介して出力される。
【００８６】
<効果の簡単な説明>
以上のように、本実施例のリモコンシステムによってコピー用リモコンＩＤの更新が終了したことを告知表示出力することで、リモコン設定変更処理が完了したことを利用者にフィードバック情報として与えることが可能であり、ユーザビリティの高い設定処理を実行することが可能となる。
【００８７】
≪実施例５≫
<概要>
図１６は、本実施例のリモコンシステムにおいて、本体装置内のフィルタ用リモコンＩＤとコピー用リモコンＩＤ、並びにリモコン装置のリモコンのリモコンＩＤの内容について示した概念図であり、本実施例のリモコンシステムによるリモコンＩＤ変更処理の一例を説明するための図である。この図にあるとおり、（１）においてまず、フィルタ用リモコンＩＤが「１」から「２」へ変更される。このとき、コピー用リモコンＩＤとリモコン装置のリモコンＩＤは「１」のままである。（１６０１）で示される時間は、いわば仮設定の時間帯であり、実施例３で説明したようにこの時間帯のうち所定時間内にコピー用リモコンＩＤのＩＤが変更されない場合には、フィルタ用リモコンＩＤを「１」へ復帰させる処理が可能である。（２）で示されるように、リモコン装置側のリモコンＩＤの設定変更を（１６０１）で示される時間帯において行う。リモコン装置のリモコンＩＤが変更されると、コピー用リモコンＩＤを「１」より「２」へ変更する命令を新たなリモコンＩＤ「２」をもって行うことが可能となり、変更が完了すると、実施例４で説明した（３）のような画面が表示され、リモコン設定変更処理が完了する。
【００８８】
ここで、リモコン設定の変更処理であるが、（２）の画面に示す通り、リモコンの所定のボタンを６秒以上長押しすることで行う。この所定のボタンは、リモコン装置のリモコンＩＤの変更と、本体装置のコピー用リモコンＩＤの変更命令を送信する機能を兼ねている。ここでのリモコン装置のリモコンＩＤは５秒間の長押し（１６０２）で「１」より「２」に変更される。すると、新たなリモコンＩＤ「２」でコピー用リモコンＩＤの変更命令が受け付けられるようになり、コピー用リモコンＩＤが「１」より「２」へ変更されるといった具合である。
【００８９】
<機能的構成>
図１７は、本実施例のリモコンシステムにおける機能ブロックの一例を表す図である。この図にあるように、本実施例の「リモコンシステム」（１７００）は、「リモコン装置」（１７０１）と、「本体装置」（１７０２）と、からなる。「リモコン装置」（１７０１）は、「リモコンＩＤ変更部」（１７０３）と、「リモコン信号出力部」（１７０４）と、「リモコン側時計部」（１７１５）と、「起動制御部」（１７１６）とを有する。「リモコンＩＤ変更部」（１７０３）は、「長押し用ボタン手段」（１７１７）を有する。
【００９０】
「本体装置」（１７０２）は、「リモコン信号受信部」（１７０５）と、「フィルタ部」（１７０６）と、「フィルタ変更部」（１７０７）と、「説明表示出力部」（１７０８）と、「不揮発メモリ部」（１７０９）と、「不揮発メモリ変更部」（１７１１）と、「本体側時計部」（１７１２）と、「告知表示出力部」（１７１４）とを有する。また「フィルタ部」（１７０６）は、「揮発メモリ手段」（１７１０）を有し、「フィルタ変更部」（１７０７）は「復帰手段」（１７１３）を有する。なお、これら構成要件については実施例１ないし４にて既に記載済みであるのでその説明は省略する。そして、本実施例のリモコンシステムの特徴点は、「リモコン装置」（１７０２）が、「リモコン側時計部」（１７１５）と「起動制御部」（１７１６）を有する点と、「リモコンＩＤ変更部」（１７０３）が「長押用ボタン手段」（１７１７）を有する点である。
【００９１】
上記で説明した図１７で示した構成は<概要>の図１６に示す動作を実現するための一例である。したがって、「リモコン信号受信部」（１７０５）と、「フィルタ部」（１７０６）と、「フィルタ変更部」（１７０７）と、「説明表示出力部」（１７０８）とは必須の構成要件であるが、「不揮発メモリ部」（１７０９）と、「不揮発メモリ変更部」（１７１１）と、「本体側時計部」（１７１２）と、「告知表示出力部」（１７１４）と、「揮発メモリ手段」（１７１０）と、「復帰手段」（１７１３）の各構成要件は図１７の構成にかかわらず必須ではなく、場合により有していてもよい。
【００９２】
「長押し用ボタン手段」（１７１７）は、不揮発メモリ変更部に対するコピー用リモコンＩＤ変更命令を含むリモコン信号送信用でありかつリモコンＩＤ変更を受け付けるための機能を有する。「長押し用ボタン」とは、リモコン操作などの際に、通常は別の機能の実行に割り当てられている特定のキーなどを所定時間押下するとさらに別の機能を実行するといったボタンを指す。例えば、リモコン装置の「電源ＯＦＦキー」と「チャンネル２キー」を３秒以上押下するとリモコンＩＤが「２」に変わり同時に本体装置へコピー用リモコンＩＤを「２」へ変更する実行命令を含むリモコンコードを送信するといった具合である。
【００９３】
「リモコン側時計部」（１７１５）は、長押時間を計測する機能を有する。具体的には、ボタン押下の時間を測定し、所定の時間を経過すると「起動制御部」（１７１６）に信号を出力する。
【００９４】
「起動制御部」（１７１６）は、リモコン側時計部で計測されている時間が所定の時間となった場合にリモコンＩＤ変更部を起動制御する機能を有する。具体的には、「リモコン側時計部」（１７１５）よりボタン押下の時間が所定の時間を経過したとの信号入力を受けると、「リモコンＩＤ変更部」（１７０３）へ信号を送る。例えば、「チャンネル２キー」が所定の時間長押しされたとの信号入力があれば「リモコンＩＤ変更部」に対してリモコンＩＤを「２」に変更する信号を出力する。
【００９５】
<処理の流れ>
図１８は、本実施例のリモコンシステムにおける処理の流れの一例を表すフローチャートである。なお、以下に示すステップは、媒体に記録され計算機を制御するためのプログラムを構成する処理ステップであっても構わない。まず、リモコン装置側において、リモコンＩＤと、フィルタ用リモコンＩＤ変更の実行命令とを含むリモコン信号の出力を行う（ステップＳ１８０１）。本体装置側ではリモコン信号の受信を行う（ステップＳ１８０２）。次に、フィルタ用リモコンＩＤに基づいてリモコン信号をフィルタリングする（ステップＳ１８０３）。フィルタリング処理でリモコンＩＤが一致すると、リモコン信号によりフィルタ用リモコンＩＤの変更を行う（ステップＳ１８０４）。次にリモコン装置のリモコンＩＤ変更操作に関する説明表示を出力する（ステップＳ１８０５）これに応じてリモコン装置側ではボタンが押下され（ステップＳ１８０６）、押下時間の計測が開始する（ステップＳ１８０７）。ボタンの押下の真偽は常にモニタリングされ（ステップＳ１８０８）、押下時間が所定時間経過したと判断されると（ステップＳ１８０９）、リモコンＩＤの変更処理と、変更後のリモコンＩＤでコピー用リモコンＩＤの変更命令を送信する（ステップＳ１８１０）。
【００９６】
すると、本体装置側ではこれを受信し、リモコンＩＤのフィルタリング処理の後、コピー用リモコンを変更する処理に移る（ステップＳ１８１１）。完了すると、所定の処理が完了したことを利用者に知らせるための告知表示を出力して（ステップＳ１８１２）リモコン設定変更処理が終了する。
【００９７】
本実施例のリモコンシステムの処理の特徴点は、リモコンＩＤの変更処理とコピー用リモコンＩＤの変更命令の送信をボタンの長押しで行う点である。また、リモコンＩＤ変更処理とコピー用リモコンＩＤ変更命令の送信を同一のボタンで兼ねることにより、リモコン装置側のリモコンＩＤ設定と、本体装置側のリモコンＩＤ設定が不一致となることがなくすことを可能であるので、タスクエラーの発生確率の低い信頼性のある設定変更操作の遂行が可能である。
【００９８】
<ハードウェア構成>
図１９は、上記機能的な各構成要件をハードウェアとして実現した際の、リモコン装置における構成の一例を表す概略図である。この図を利用してリモコンコード変更処理におけるそれぞれのハードウェア構成部の働きについて説明する。この図にあるように、本実施例のリモコンシステムは実施例３と同様に、「リモコン装置」（１９０１）と「本体装置」（１９０２）から構成される。「リモコン装置」（１９０１）は、リモコン装置の制御を行う「マイコン」（１９０３）と、利用者の操作入力を受け付ける入力ボタン（１９０４）と、リモコン信号を搬送する赤外線を発光させる「赤外線発光素子」（１９０５）とを有する。「マイコン」（１９０３）は回路上に各種演算処理を行う「ＣＰＵ（中央演算装置）」（１９０６）と「ＲＡＭ」（１９０７）と、「ＲＯＭ」（１９０８）と、「タイマ」（１９１８）を有しており、相互に接続されている。
【００９９】
「本体装置」（１９０２）は「赤外線受光素子」（１９０９）と、「フロントマイコン」（１９１０）と、「バックエンドＬＳＩ」（１９１１）と、「ＲＡＭ」（１９１２）と、「ＲＯＭ」（１９１３）とを有する。「フロントマイコン」（１９１０）は回路上に各種演算処理を行う「ＣＰＵ（中央演算装置）」（１９１４）と、「ＲＡＭ」（１９１５）と、「ＥＥＰＲＯＭ」（１９１６）と、「タイマ」（１９１７）などを有しており、これらは相互に接続されている。
【０１００】
「リモコン装置」（１９０１）の「ＲＡＭ」（１９０７）上には、現在のリモコンＩＤの値であるｒ１が変数Ｒｒとして確保された領域に格納されており、その他の領域に変更後のリモコンＩＤの値であるｒ２が格納されている。また、フィルタ用リモコンＩＤを変更する実行命令であるｘ１、およびコピー用リモコンＩＤを変更する実行命令であるｘ２、そしてリモコン装置のリモコンＩＤの変数Ｒｒを変更する実行命令ｘ３も格納されている。
【０１０１】
ここで、「リモコン装置」（１９０１）の「入力ボタン」（１９０４）により、フィルタ用リモコンID変更命令（ｒ１→ｒ２）が入力されると、「ＣＰＵ」（１９０６）において、「ＲＡＭ」（１９０７）上のリモコンＩＤの変数Ｒｒの値ｒ１と、フィルタ用リモコンＩＤ変更実行命令であるｘ１と、そのパラメータとしてｒ２とを含むリモコンコードｃ１が生成される。コードは電気信号化され「赤外線発光素子」（１９０５）に対し出力され、赤外線に変換されて「本体装置」（１９０２）の「赤外線受光素子」（１９０９）に搬送される。
【０１０２】
「本体装置」（１９０２）の「フロントマイコン」（１９１０）上では、「ＲＡＭ」（１９１５）上に受信コードの値ｃ１として蓄積される。このｃ１から「ＣＰＵ」（１９１４）上でリモコンＩＤの値ｒ１の抽出が行われフィルタ用リモコンＩＤの変数Ｒｆの値（＝ｒ１）と比較が行われる。比較の結果一致すれば、ｃ１より実行命令ｘ１とパラメータｒ２が抽出され、「ＣＰＵ」（１９１４）で実行される。その結果、「ＲＡＭ」（１９１５）上のフィルタ用リモコンＩＤの変数Ｒｆの値がｒ１からｒ２へ更新される。すると、更新に応じて「タイマ」（１９１７）が時間の計測を開始する。
【０１０３】
ここで、所定時間ｔ１が経過する前に、コピー用リモコンＩＤを変更する実行命令ｘ２が実行され、「ＥＥＰＲＯＭ」（１９１６）上のコピー用リモコンＩＤの値を格納している領域が変更されなければ、当領域の値（＝ｒ１）を「ＲＡＭ」（１９１５）のＲｆに代入し、復旧処理が行われる。
【０１０４】
一方、ｔ１の経過前にコピー用リモコンＩＤの値が変更されれば、リモコンシステムのリモコン設定の変更処理は完了する。以下にそのハードウェア動作について説明する。まず、「リモコン装置」（１９０１）の長押し用の「入力ボタン」（１９０４）が押下されると「タイマ」（１９１８）により押下時間の計測が開始される。長押し用の「入力ボタン」（１９０４）は、長押しするとｘ２とｘ３の両方を実行することになっている。ここで、押下時間の値がｔ２と等しくなると、「リモコン装置」（１９０１）のリモコンＩＤを変更する実行命令ｘ３が引数をｒ２として「ＣＰＵ」（１９０６）において実行される。この処理により、「リモコン装置」（１９０１）のリモコンＩＤの変数：Ｒｒの値がｒ１よりｒ２へ変更され、以降の「リモコン装置」（１９０１）が送信するリモコンコードはｒ１からｒ２へ変更される。すると、同時に、ｒ２をパラメータとする実行命令ｘ２を、リモコンＩＤコードｒ２にて「本体装置」（１９０２）へ向けコードｃ２として送信する。これにより「本体装置」（１９０２）の「ＲＡＭ」（１９１５）内のＲｆの値ｒ２と、受信したｃ２内のリモコンＩＤの値が一致し、ｃ２内のｘ２とそのパラメータのｒ２が抽出され、「ＣＰＵ」（１９１４）で実行される。その結果、「ＥＥＰＲＯＭ」（１９１６）内のコピー用リモコンＩＤがｒ１よりｒ２へ変更される。以上のような動作でリモコン設定処理が完了する。
【０１０５】
<効果の簡単な説明>
以上のように、本実施例のリモコンシステムによってリモコン装置のボタンの長押しにより、リモコン側のＩＤ設定の変更と本体装置側のコピー用リモコンＩＤの変更を兼ねることで、信頼性が高く、ひいてはユーザビリティの高い設定処理を実行することが可能となる。
【図面の簡単な説明】
【０１０６】
【図１Ａ】実施例１のリモコンシステムによるリモコンコード変更処理の一例を説明するための図
【図１Ｂ】実施例１のリモコンシステムによるリモコンコード変更処理の一例を説明するための図
【図１Ｃ】実施例１のリモコンシステムによるリモコンコード変更処理の一例を説明するための図
【図２】実施例１のリモコンシステムにおける機能ブロックの一例を表す図
【図３】実施例１のリモコンシステムにおけるリモコンコードの一例を表す図
【図４】実施例１のリモコンシステムにおける処理の流れの一例を表すフローチャート
【図５】実施例１のリモコンシステムにおけるハードウェア構成の一例を表す概略図
【図６】実施例２のリモコンシステムにおける機能ブロックの一例を表す図
【図７】実施例２のリモコンシステムにおける処理の流れの一例を表すフローチャート
【図８】実施例２のリモコンシステムにおけるハードウェア構成の一例を表す概略図
【図９】実施例３のリモコンシステムにおける機能ブロックの一例を表す図
【図１０】実施例３のリモコンシステムにおける処理の流れの一例を表すフローチャート
【図１１】実施例３のリモコンシステムにおけるハードウェア構成の一例を表す概略図
【図１２Ａ】実施例４のリモコンシステムによるリモコンコード変更処理の一例を説明するための図
【図１２Ｂ】実施例４のリモコンシステムによるリモコンコード変更処理の一例を説明するための図
【図１３】実施例４のリモコンシステムにおける機能ブロックの一例を表す図
【図１４】実施例４のリモコンシステムにおける処理の流れの一例を表すフローチャート
【図１５】実施例４のリモコンシステムにおけるハードウェア構成の一例を表す概略図
【図１６】実施例５のリモコンシステムによるリモコンコード変更処理の一例を説明するための図
【図１７】実施例５のリモコンシステムにおける機能ブロックの一例を表す図
【図１８】実施例５のリモコンシステムにおける処理の流れの一例を表すフローチャート
【図１９】実施例５のリモコンシステムにおけるハードウェア構成の一例を表す概略図
【図２０】従来技術におけるリモコンシステムによるリモコンコード変更処理の一例を説明するための図
【符号の説明】
【０１０７】
０２００  リモコンシステム
０２０１  リモコン装置
０２０２  本体装置
０２０３  リモコンＩＤ変更部
０２０４  リモコンＩＤ出力部
０２０５  リモコン信号受信部
０２０６  フィルタ部
０２０７  フィルタ変更部
０２０８  説明表示出力部
【図１Ａ】
2009201078.tif 000003
【図１Ｂ】
2009201078.tif 000004
【図１Ｃ】
2009201078.tif 000005
【図２】
2009201078.tif 000006
【図３】
2009201078.tif 000007
【図４】
2009201078.tif 000008
【図５】
2009201078.tif 000009
【図６】
2009201078.tif 000010
【図７】
2009201078.tif 000011
【図８】
2009201078.tif 000012
【図９】
2009201078.tif 000013
【図１０】
2009201078.tif 000014
【図１１】
2009201078.tif 000015
【図１２Ａ】
2009201078.tif 000016
【図１２Ｂ】
2009201078.tif 000017
【図１３】
2009201078.tif 000018
【図１４】
2009201078.tif 000019
【図１５】
2009201078.tif 000020
【図１６】
2009201078.tif 000021
【図１７】
2009201078.tif 000022
【図１８】
2009201078.tif 000023
【図１９】
2009201078.tif 000024
【図２０】
2009201078.tif 000025